(57)【要約】【課題】  火災現場に最初に到着した消防車両は、火災現場に一番近い消防水利を使用している。しかし、火災現場に二番目以降に到着した消防車両は、火災現場に一番近い消防水利以外の消防水利を選択する必要があった。そのため、火災現場に到着した消防車両同士が同じ消防水利を選択し使用しようとした場合、どちらか一方の消防車両は消防水利を使用できないため、新たに消防水利を選択し直す必要があり、消火活動に遅れが生じるおそれがあった。【解決手段】  そこで、本発明は、消防車両の火災現場に近い順に応じて、消防水利を火災現場に近い順に割り当てることを目的とする。【選択図】  図１
2015184963.tif 000002
【特許請求の範囲】
【請求項１】
緊急通報を受付けて、前記緊急通報の内容に合わせて作成した出動指令を消防車両に送信する消防システムであって、
緊急通報で受付けた火災現場の位置を含む火災情報が入力される入力手段と、
消防車両の現在位置と動態の情報を含む消防車両情報を記憶している消防車両管理手段と、
消防水利の位置情報を記憶する消防水利管理手段と、
前記入力手段で入力された火災情報と前記消防車両管理手段が記憶している前記消防車両情報を基に、出動する消防車両を選択する隊編成作成手段と、
前記隊編成作成手段で選択された消防車両を前記火災現場に近い順に整列させ、また、前記火災現場の付近にある消防水利を前記消防水利管理手段より取得し、取得した消防水利を前記火災現場に近い順に整列させる整列手段と、
前記隊編成作成手段で選択された消防車両に対し、前記整列手段で整列された同消防車両の前記火災現場に近い順と同じ順に火災現場に近い消防水利を目的地に設定するよう指示する目的地指示手段と、を備えることを特徴とする消防システム。
【発明の詳細な説明】
【技術分野】
【０００１】
本発明は、消防車両が使用する消火栓である消防水利を最適に割り当てる消防システムに関するものである。
【背景技術】
【０００２】
消防システムは、火災などに関する緊急通報を受付けた後、通報内容に合わせて作成した出動事案により、各署所の消防車両などに対して出動指令を行う。出動指令を受け取った消防車両は火災現場に向けて出動する。火災現場に到着した消防車両の隊員は、火災現場の付近にある消火栓などの消防水利から水を取得して消火活動を行う。
【０００３】
消火活動は一刻も早く行われる必要があるため、火災現場の付近にある消防水利が使用される。特に、火災現場に最初に到着した消防車両は火災現場に一番近い消防水利を使用している。
【発明の概要】
【発明が解決しようとする課題】
【０００４】
しかし、火災現場に二番目以降に到着した消防車両は、火災現場に一番近い消防水利以外の消防水利を選択する必要があった。そのため、火災現場に到着した消防車両同士が同じ消防水利を選択し使用しようとした場合、どちらか一方の消防車両は消防水利を使用できないため、新たに消防水利を選択し直す必要があり、消火活動に遅れが生じるおそれがあった。
【０００５】
そこで、本発明は、消防車両の火災現場に近い順に応じて、消防水利を火災現場に近い順に割り当てることを目的とする。
【課題を解決するための手段】
【０００６】
上述した課題を解決するために、本発明の消防システムは、緊急通報を受付けて、緊急通報の内容に合わせて作成した出動指令を消防車両に送信する消防システムであって、緊急通報で受付けた火災現場の位置を含む火災情報が入力される入力手段と、消防車両の現在位置と動態の情報を含む消防車両情報を記憶している消防車両管理手段と、消防水利の位置情報を記憶する消防水利管理手段と、入力手段で入力された火災情報と消防車両管理手段が記憶している消防車両情報を基に、出動する消防車両を選択する隊編成作成手段と、隊編成作成手段で選択された消防車両を火災現場に近い順に整列させ、また、火災現場の付近にある消防水利を消防水利管理手段より取得し、取得した消防水利を火災現場に近い順に整列させる整列手段と、隊編成作成手段で選択された消防車両に対し、整列手段で整列された消防車両の火災現場に近い順と同じ順に火災現場に近い消防水利を目的地に設定するよう指示する目的地指示手段と、を備える。
【発明の効果】
【０００７】
本発明の消防システムによれば、消防車両の火災現場に近い順に応じて、火災現場に近い順に消防水利を割り当てることができるので、消防車両の隊員は消防水利を選択する必要が無くなり、また、他の消防車両が選択した消防水利と同じ消防水利を選択するおそれも無くなる。
【図面の簡単な説明】
【０００８】
【図１】図１は、本発明にかかる消防システムの構成図である。
【図２】図２は、本発明にかかる消防システムのフローチャート図である。
【図３】図３は、本発明にかかる消防システム内で表示される画面を示した図である。
【図４】図４は、本発明にかかる目的地指示部が受信するデータを示した図である。
【発明を実施するための形態】
【０００９】
以下に、本発明にかかる消防システムの実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。
【００１０】
本発明にかかる消防システム１００の構成について図１のシステム構成図を基に説明する。消防システム１００は、緊急通報者から聞き取った緊急通報の内容を消防署の職員が消防システム１００に入力するための入力手段である入力部１０１と、入力された緊急通報の内容に基づいて出動する消防車両を選択する隊編成作成手段である隊編成作成部１０２と、入力された緊急通報の内容に基づいて出動事案を作成する事案作成手段である事案作成部１０３と、消防水利の位置情報を記憶する消防水利管理手段である消防水利管理部１０４と、使用する消防水利を検索する消防水利検索部１０５と、消防車両の現在位置や動態などの情報を含む消防車両情報を記憶する消防車両管理手段である消防車両管理部１０６と、消防車両の位置情報および消防水利の位置情報より其々の二点間の経路を検索して検索した経路の距離を算出する経路検索部１０７と、算出された複数の距離を順に整列させる整列手段である整列部１０８と、消防車両が最初に向かう目的地となる消防水利を設定する目的地指示手段である目的地指示部１０９と、消防車両に情報を送信する送受信部１１０と、上記の各構成を制御する制御部１１１と、を備えている。
【００１１】
消防車両２００は、消防システム１００から送信された情報を受信する送受信部２０１と、送受信部２０１で受信した火災現場の位置情報に基づいて火災現場までの経路を検索する車両経路検索部２０２と、車両経路検索部２０２の検索結果を表示する表示部２０３と、上記の各構成を制御する制御部２０４と、を備えている。
【００１２】
次に、消防システム１００の各構成について説明する。
入力部１０１は、通報者と対話する消防署の職員が対話の中で取得した緊急通報の内容である火災情報を消防システム１００に入力するためのものである。本発明の入力部１０１は、例えば、タッチパネルやマウス、キーボードなどである。
【００１３】
隊編成作成部１０２は、入力部１０１より入力された火災情報（火災現場の位置や、火災の規模など）と、後述する消防車両管理部１０６に記憶されている消防車両の現在位置や動態などの消防車両情報を基に出動する消防車両２００を選択する出動隊編成を行うものである。出動隊編成を行う際、隊編成作成部１０２は消防車両管理部１０６から消防車両情報を取得する。取得した消防車両情報を基に、隊編成作成部１０２は出動可能な消防車両の中から車種や火災現場までの距離などを考慮して出動する消防車両を選択し、出動隊編成を行う。
【００１４】
事案作成部１０３は、入力部１０１より入力された火災情報と、隊編成作成部１０２が行なった隊編成に基づいて出動事案を作成するものである。事案作成部１０３が作成する出動事案には、火災現場の位置や、火災を示す災害種別や、出動する消防車両の車両番号などのデータが含まれている。
【００１５】
消防水利管理部１０４は、消防車両が火災鎮圧のために用いる消火栓である消防水利が設置されている位置の情報を記憶するものである。
【００１６】
消防水利検索部１０５は、消防水利管理部１０４より消防水利が設置されている位置の情報を取得し、入力部１０１より入力された火災現場の付近に設置されている消防水利を検索するものである。
【００１７】
消防車両管理部１０６は、消防署が管理する消防車両の活動状況を管理するものであり、具体的には消防車両の現在位置や、出動中や待機中などの活動状態を示す動態などの消防車両情報を記憶している。
【００１８】
経路検索部１０７は、制御部１１１が送信した二点の位置情報を基に、二点間の経路を検索し、検索した結果の経路の距離を算出し、算出した結果を整列部１０８に送信するものである。なお、本実施例では距離を算出しているが、本発明はこれに限定したものではなく、消防車両が目的地に到着する時刻である到着予想時刻を算出しても良い。
【００１９】
整列部１０８は、経路検索部１０７が算出した複数の距離を受信し、受信した複数の距離を順に整列するものである。例えば、短い順に整列する。なお、本実施例では距離の短い順に整列しているが、本発明はこれに限定したものではなく、経路検索部１０７から受信した情報が到着予想時刻であった場合は、到着予想時刻が早い順に整列しても良い。また、経路検索部１０７から受信した距離に同じ距離の消防車両があった場合、消防車両に予め付けられている優先順位を参考に優先順位が高い消防車両を先に整列しても良い。さらに、経路検索部１０７から受信した距離に同じ距離の消防水利があった場合、消防水利に付与されている水利番号を参考に水利番号が小さい消防水利を先に整列しても良い。
【００２０】
目的地指示部１０９は、隊編成作成部１０２で選択された消防車両２００が使用する消防水利を割り当て、消防車両２００に割り当てた消防水利の位置を知らせるものである。
【００２１】
送受信部１１０は、消防システム１００が各消防車両２００に情報を送信する、または、消防車両２００から消防システム１００へ送信された情報を受信するためのものである。
【００２２】
制御部１１１は、上記の各部の制御および情報の相互伝達を行うものである。本発明の消防システム１００の所定の機能を総合的に制御するためのソフトウェアを記憶したＨＤＤのような記憶媒体や、そのソフトウェアによる処理を実行するためのＣＰＵやマイコンなどの処理装置を備え、これと接続された消防システム１００内の各部の制御を行っている。
【００２３】
本発明の消防システム１００は、以上の各構成を備えている。以下に、本発明の消防システム１００が緊急通報を受付けて、最初に向かう目的地となる消防水利の位置を消防車両２００に送信するまでの手順について、図２のフローチャート図を基に説明する。図３は本実施例の消防システム１００内で表示される画面を示したものであり、図４は目的地指示部１０９が受信するデータを示した図である。
【００２４】
本発明の消防システム１００は、消防署の職員が緊急通報を受付ける（Ｓ１０１）。通報者からヒアリングした火災現場３０１の位置などの火災情報を、消防署の職員が入力部１０１を用いて消防システム１００に入力する（Ｓ１０２）。隊編成作成部１０２は、入力部１０１により入力された火災現場３０１の位置と消防車両管理部１０６に記憶されている消防車両の動態や現在位置などの消防車両情報を基に、出動する消防車両を選択し出動隊編成を行う（Ｓ１０３）。次に、事案作成部１０３は入力部１０１より入力された火災情報と隊編成作成部１０２で作成された出動隊編成に基づいて出動事案を作成する（Ｓ１０４）。制御部１１１は作成された出動事案を事案作成部１０３より取得し、送受信部１１０を介して隊編成作成部１０２で選択された消防車両２００に送信する（Ｓ１０５）。
【００２５】
出動事案を送信した後、制御部１１１は隊編成作成部１０２により選択された消防車両の現在位置などの消防車両情報を消防車両管理部１０６より取得すると共に、入力部１０１より入力された火災現場３０１の位置などの火災情報を取得し、経路検索部１０７に送信する。経路検索部１０７は、受信した消防車両の現在位置から火災現場３０１までの経路を検索し、検索によって得られた経路の距離を算出し（Ｓ１０６）、算出した距離を整列部１０８に送信する。整列部１０８は受信した距離を、図４（ａ）に示すように短い順に「車両Ｂ、車両Ａ、車両Ｄ、車両Ｃ」と整列し（Ｓ１０７）、整列した結果を経路検索部１０７および制御部１１１を介して目的地指示部１０９に送信する。
【００２６】
次に、制御部１１１は入力部１０１より入力された火災現場３０１の位置などの火災情報を消防水利検索部１０５に送信する。消防水利検索部１０５は受信した火災現場３０１付近に設置されている消防水利を消防水利管理部１０４より取得し（Ｓ１０８）、取得した消防水利（３０２ａ、３０２ｂ、３０２ｃ、３０２ｄ）の位置と火災現場３０１の位置を経路検索部１０７に送信する。経路検索部１０７は受信した消防水利（３０２ａ、３０２ｂ、３０２ｃ、３０２ｄ）の位置から火災現場３０１の位置までの距離を算出し（Ｓ１０９）、算出した距離を整列部１０８に送信する。整列部１０８は受信した距離を、図４（ｂ）に示すように短い順に「水利３０２ｂ、水利３０２ａ、水利３０２ｃ、水利３０２ｄ」と整列し（Ｓ１１０）、経路検索部１０７および制御部１１１を介して目的地指示部１０９に送信する。
【００２７】
目的地指示部１０９は、受信した消防車両の短い順と消防水利の短い順を基に、同じ順の消防車両と消防水利を、「車両Ｂと水利３０２ｂ」、「車両Ａと水利３０２ａ」、「車両Ｄと水利３０２ｃ」、「車両Ｃと水利３０２ｄ」のように関連づける（Ｓ１１１）。目的地指示部１０９は送受信部１１０を介して消防車両２００に、関連づけた消防水利を目的地に設定するよう送信する（Ｓ１１２）。
【００２８】
消防車両の送受信部２０１は、制御部２０４を介して受信した消防水利の情報を車両経路検索部２０２に送信する。車両経路検索部２０２は受信した消防水利の位置までの経路を検索し、検索した結果を表示部２０３に送信する。表示２０３部は受信した検索結果の経路を表示する。また、受信した消防水利以外の消防水利を表示部２０３に表示させないことで、消防隊員が目的地の消防水利に迷わずに向かうことができる。なお、車両経路検索部２０２は、消防システム１００内にある経路検索部１０７と同じ算出方法で経路検索を行っているので、経路検索部１０７で得られた経路と同じ経路を算出する。
【００２９】
以上より、本実施例の消防システム１００では、火災現場までの距離が近い順で火災現場までの距離が近い消防水利を割当てているため、火災現場に最初に到着予定の消防車両が消火活動を早く行うことができる。また、二番目以降に到着した消防車両が火災現場に到着した後に使用する消防水利を選択することなく、最適な消防水利を割当てることが出来る。
【符号の説明】
【００３０】
１００    防災無線システム
１０１    入力部
１０２    隊編成作成部
１０３    事案作成部
１０４    消防水利管理部
１０５    消防水利検索部
１０６    消防車両管理部
１０７    経路検索部
１０８    整列部
１０９    目的地指示部
１１０    送受信部
１１１    制御部
２００    消防車両
２０１    送受信部
２０２    車両経路検索部
２０３    表示部
２０４    制御部
【図１】
2015184963.tif 000003
【図２】
2015184963.tif 000004
【図３】
2015184963.tif 000005
【図４】
2015184963.tif 000006